(57)【要約】【課題】可動突起にカウンタ装置を備え且つ誤計測を防止するコイン送出装置を提供する。【解決手段】可動ローラ４４よりも回転方向上流側の所定範囲内においてコイン穴５８を通り抜けるコイン３４をその可動ローラ４４に接触させずに通過させる為の接触防止部材である案内板部材６６が案内部材１４と一体的に設けられていることから、上記所定範囲内において上記コイン穴５８を通り抜けるコイン３４すなわちその周回において内周面３８の外周側へ送出されないコイン３４を上記可動ローラ４４に接触させずに次の周回に送ることができる。その為、上記可動ローラ４４に接触するコイン３４の枚数を計測するカウンタ装置７０によって、上記内周面３８の外周側へ送出されないコイン３４の枚数が誤って加算されることがない。すなわち、可動ローラ４４にカウンタ装置７０を備え且つ誤計測を防止するコイン送出装置１０を提供することができる。【選択図】　図２
2004070680.tif 000002
【特許請求の範囲】
【請求項１】
１平面内においてコインを周方向に案内する為の案内平面および該案内平面に垂直な案内内周面を備えた案内部材と、該コインを厚み方向に通り抜けさせる複数のコイン穴を備え且つ該案内部材の案内平面および案内内周面に接触するように前記コインを周方向へ駆動するコイン駆動部材と、前記コインが前記案内内周面の外周側へ送出されるように形成された案内内周面終端部と、該案内内周面終端部に対して接近離隔方向の移動可能に前記案内部材に設けられて該案内内周面終端部に接近する向きに付勢された可動突起と、該可動突起に接触するコインの枚数を計測するカウンタ装置とを備え、複数枚のコインを所定の初速度にて連続的に送出するコイン送出装置であって、
前記可動突起よりも上流側の所定範囲内において前記コイン穴を通り抜けるコインを該可動突起に接触させずに通過させる為の接触防止部材が前記案内部材と一体的に設けられていることを特徴とするコイン送出装置。
【請求項２】
前記接触防止部材は、前記可動突起よりも上流側において該可動突起に接近するにつれて外周側へ迫り出し前記所定範囲内において前記コイン穴を部分的に塞ぐように、且つ前記コイン駆動部材との間隔が前記コインの厚み寸法よりも短くなるように前記案内平面の一部を覆う案内板部材である請求項１のコイン送出装置。
【請求項３】
前記コイン駆動部材は、前記案内内周面の曲率中心に位置し且つ前記案内平面に垂直な軸心まわりに回転駆動されるものであり、前記コインに当接して該コインを周方向且つ外周方向に付勢するように、外周に向かうほど反回転方向に向かうように傾斜させられた当接面を有する複数の駆動突起を、前記複数のコイン穴それぞれの下流側に個別に備えたものである請求項２のコイン送出装置。
【請求項４】
前記接触防止部材は、前記可動突起よりも内周側における該可動突起との間隔が前記コインの径寸法よりも短くなる位置に、前記案内平面に垂直に設けられた障壁部材である請求項１のコイン送出装置。
【請求項５】
前記コイン駆動部材は、前記案内内周面の曲率中心に位置し且つ前記案内平面に垂直な軸心まわりに回転駆動されるものであり、前記コインに当接して該コインを周方向且つ外周方向に付勢するように、外周に向かうほど反回転方向に向かうように傾斜させられた当接面と、前記障壁部材に対応する部分に形成された切欠とを有する複数の駆動突起を、前記複数のコイン穴それぞれの下流側に個別に備えたものである請求項４のコイン送出装置。
【発明の詳細な説明】
【０００１】
【発明の属する技術分野】
本発明は、扁平な円形板であるコインを連続的に送出する為のコイン送出装置の改良に関する。
【０００２】
【従来の技術】
両替機に用いられる硬貨、遊戯機械などに用いられるメダルやトークンなどの扁平な円形板であるコイン状部材（以下、コインと称する）を連続的に送出するコイン送出装置が知られている。例えば、特開２００２−１２３８５１号公報の明細書などに記載されたコイン送出装置がそれである。かかるコイン送出装置によれば、コイン駆動部材の径方向においてコインの外周側位置の移動軌跡よりも内周側に位置し、且つ固定ローラに対して接近離隔方向の移動可能に案内部材に設けられてその固定ローラに接近する向きに付勢された可動ローラが設けられていることから、上記コイン駆動部材により駆動されて周方向に案内されるコインは先ず上記可動ローラに当接して外周側へ方向転換させられると同時にその可動ローラと上記固定ローラとの間に挟持され、上記コイン駆動部材によりさらに押されることにより上記コインの中心が上記可動ローラと固定ローラとの間を通過すると所定の初速度で外周側へ送出される。
【０００３】
一般に、上記コイン送出装置には、そのコイン送出装置から送出されるコインの枚数を計測する為のカウンタ装置が設けられており、そのカウンタ装置には、所定の部分を通過するコインあるいは所定の部分に接触するコインを検出する為のセンサが備えられている。上記コイン送出装置からコインが送出されるに際して必然的に通過する部分あるいは接触する部分にかかるセンサが設けられることで、上記コイン送出装置から送出されるコインは全てそのセンサにより検出され、延いては上記カウンタ装置によりその枚数が計測される。その結果として所定枚数のコインが上記コイン送出装置から過不足無く送出されるのである。
【０００４】
ところで、前記遊戯機械の一例であるスロットマシンを用いて遊戯をおこなう遊戯者の中には、不正にコインを排出させようとする所謂ゴト師と称される者がいる。そのゴト師は、通常、前記遊戯機械に備えられたコイン送出装置の外部から何らかの手段により上記センサを故意に操作して、前記コイン送出装置に所定枚数よりも多くのコインを不正に排出させる。従来のコイン送出装置では、コイン排出口付近に上記センサを設けるものが多かったが、そうした部分に設けられたセンサは外部からの操作が容易である為、上記ゴト師に狙われ易かった。そこで、最近になって、前記可動ローラの近傍に前記カウンタ装置を設けて、その可動ローラにコインが接触することでそのコインを検出するセンサを備えたコイン送出装置が増加してきた。かかるカウンタ装置は、例えば前記可動ローラの下部においてカバーに覆われたものである為、外部からの操作はほどんど不可能であり、上述の不正行為を好適に防止することができる。
【０００５】
【発明が解決しようとする課題】
しかし、従来のコイン送出装置では、外部に送出されないコインであっても前記可動ローラに接触する可能性があった為、前記センサにより誤って検出されて前記カウンタ装置によりその枚数が加算されるという不具合があった。かかる場合、例えばスロットマシンの遊戯者においては、本来得られるべき枚数のコインが得られず、図らずも不利益を被ることとなる。
【０００６】
本発明は、以上の事情を背景として為されたものであり、その目的とするところは、可動突起にカウンタ装置を備え且つ誤計測を防止するコイン送出装置を提供することにある。
【０００７】
【課題を解決するための手段】
かかる目的を達成する為に、本発明の要旨とするところは、１平面内においてコインを周方向に案内する為の案内平面およびその案内平面に垂直な案内内周面を備えた案内部材と、そのコインを厚み方向に通り抜けさせる複数のコイン穴を備え且つその案内部材の案内平面および案内内周面に接触するように前記コインを周方向へ駆動するコイン駆動部材と、前記コインが前記案内内周面の外周側へ送出されるように形成された案内内周面終端部と、その案内内周面終端部に対して接近離隔方向の移動可能に前記案内部材に設けられてその案内内周面終端部に接近する向きに付勢された可動突起と、その可動突起に接触するコインの枚数を計測するカウンタ装置とを備え、複数枚のコインを所定の初速度にて連続的に送出するコイン送出装置であって、前記可動突起よりも上流側の所定範囲内において前記コイン穴を通り抜けるコインをその可動突起に接触させずに通過させる為の接触防止部材が前記案内部材と一体的に設けられていることを特徴とするものである。
【０００８】
【発明の効果】
このようにすれば、前記可動突起よりも上流側の所定範囲内において前記コイン穴を通り抜けるコインをその可動突起に接触させずに通過させる為の接触防止部材が前記案内部材と一体的に設けられていることから、前記所定範囲内において前記コイン穴を通り抜けるコインすなわちその周回において前記案内内周面の外周側へ送出されないコインを前記可動突起に接触させずに次の周回に送ることができる。その為、前記可動突起に接触するコインの枚数を計測するカウンタ装置によって、前記案内内周面の外周側へ送出されないコインの枚数が誤って加算されることがない。すなわち、可動突起にカウンタ装置を備え且つ誤計測を防止するコイン送出装置を提供することができる。
【０００９】
【発明の他の態様】
ここで、好適には、前記接触防止部材は、前記可動突起よりも上流側においてその可動突起に接近するにつれて外周側へ迫り出し前記所定範囲内において前記コイン穴を部分的に塞ぐように、且つ前記コイン駆動部材との間隔が前記コインの厚み寸法よりも短くなるように前記案内平面の一部を覆う案内板部材である。このようにすれば、その案内板部材が前記所定範囲内において前記コイン穴を部分的に塞ぐ位置まで迫り出し且つ前記コイン駆動部材との間隔が前記コインの厚み寸法よりも短くなるように設けられていることにより、前記所定範囲内において前記コイン穴を通り抜けるコインが通り抜けきらずにそのコイン穴内に留められ、そのコインを前記可動突起に接触させずに通過させることができることに加え、前記案内板部材が前記可動突起よりも上流側においてその可動突起に接近するにつれて外周側へ迫り出すように設けられていることにより、前記所定範囲外において前記コイン穴を通り抜けきったコインが前記案内内周面の外周側へ送出されるように案内できるという利点がある。
【００１０】
また、好適には、前記コイン駆動部材は、前記案内内周面の曲率中心に位置し且つ前記案内平面に垂直な軸心まわりに回転駆動されるものであり、前記コインに当接してそのコインを周方向且つ外周方向に付勢するように、外周に向かうほど反回転方向に向かうように傾斜させられた当接面を有する複数の駆動突起を、前記複数のコイン穴それぞれの下流側に個別に備えたものである。このようにすれば、前記駆動突起の当接面に当接させられて駆動されるコインが前記コイン駆動部材の回転軸心を中心とする周方向且つ外周方向へ付勢されつつ案内される。また、前記複数の駆動突起は、前記複数のコイン穴それぞれの下流側に個別に設けられていることから、前記案内部材とコイン駆動部材との間における前記案内内周面の曲率中心を含む所定の空間に前記案内板部材を設けることができるという利点がある。
【００１１】
また、好適には、前記接触防止部材は、前記可動突起よりも内周側におけるその可動突起との間隔が前記コインの径寸法よりも短くなる位置に、前記案内平面に垂直に設けられた障壁部材である。このようにすれば、かかる障壁部材により、前記所定範囲内において前記コイン穴を通り抜けつつあるコインあるいは通り抜けきったコインをその可動突起に接触させずに通過させることができるという利点がある。
【００１２】
また、好適には、前記コイン駆動部材は、前記案内内周面の曲率中心に位置し且つ前記案内平面に垂直な軸心まわりに回転駆動されるものであり、前記コインに当接してそのコインを周方向且つ外周方向に付勢するように、外周に向かうほど反回転方向に向かうように傾斜させられた当接面と、前記障壁部材に対応する部分に形成された切欠とを有する複数の駆動突起を、前記複数のコイン穴それぞれの下流側に個別に備えたものである。このようにすれば、前記駆動突起の当接面に当接させられて駆動されるコインが前記コイン駆動部材の回転軸心を中心とする周方向且つ外周方向へ付勢されつつ案内される。また、前記駆動突起には、前記障壁部材に対応する部分に切欠が形成されていることから、前記コイン駆動部材の回転駆動に際して前記駆動突起と障壁部材とが接触することがない。さらに、前記複数の駆動突起は、前記複数のコイン穴それぞれの下流側に個別に設けられていることから、前記案内部材とコイン駆動部材との間に、前記コイン駆動部材の回転軸心を中心とする所定の空間を形成することができ、前記所定範囲内において前記コイン穴を通り抜けきったコインを内周側へ逃がすことができるという利点がある。
【００１３】
【実施例】
以下、本発明の好適な実施例を図面に基づいて詳細に説明する。
【００１４】
図１は、本発明の一実施例であるコイン送出装置１０の構成を説明する為に一部を切り欠いて示す側面図である。この図に示すように、かかるコイン送出装置１０は、合成樹脂製あるいは金属製の基台フレーム１２と、その基台フレーム１２における３０°程度に傾斜した傾斜上面に固設された合成樹脂製あるいは金属製の厚板状の案内部材１４と、その案内部材１４に取り付けられた上端が開口した容器状（バケット状）を成す合成樹脂製のホッパ１６とを備えている。上記傾斜させられた案内部材１４の下側端部には取付フランジ１８が設けられているとともに、その案内部材１４の上側端部には１対の取付フック２０が設けられており、上記ホッパ１６に設けられた取付ピン２２がその取付フック２０に掛け止められた状態でそのホッパ１６に設けられた固定部２４に上記取付フランジ１８の取付穴２６を通して固定ボルト２８が螺合されることにより、上記ホッパ１６が案内部材１４および基台フレーム１２に固定されている。なお、上記ホッパ１６に設けられた固定部２４には、たとえばインサート成形によってナット３０が埋設されており、そのナット３０に上記固定ボルト２８が螺合されている。
【００１５】
図２は、上記ホッパ１６を取り外して上記案内部材１４に対して垂直な方向から見た、コイン駆動部材３２の一部を切り欠いて示す平面図であり、図３は、図２のＩＩＩ−ＩＩＩ視断面図である。なお、図３においては、図２において切り欠かれている部分にもコイン駆動部材３２が描かれている。これらの図に示すように、上記案内部材１４は、上記ホッパ１６内に収容された円形板状の金属部材であるコイン３４を案内する為のものであって、その上面に比較的浅い穴が形成されている。その穴の底面３６が案内すべきコイン３４の一面に摺接する案内平面として機能し、その内周面３８がそのコイン３４を周方向に案内する案内内周面として機能している。上記傾斜させられた案内部材１４の側部において、上記内周面３８の一部が切り欠かれており、上記底面３６と面一（つらいち）の溝底を有する送出溝４０が傾斜した案内部材１４の横方向すなわち水平方向に形成されている。
【００１６】
図２に示すように、前記案内部材１４には、固定ローラ４２および可動ローラ４４がそれに垂直な方向に立設されている。その固定ローラ４２は、上記送出溝４０内において、回転中心が上記内周面３８の延長線よりも外周側に位置するように、好適には、その外周面が上記内周面３８の延長線上に位置するように設けられている。かかる固定ローラ４２は、上記コイン３４との間の摩擦に起因する摩耗を防止して前記案内部材１４の耐久力を高める為のものであり、上記コイン３４の案内内周面として機能する内周面３８の案内内周面終端部に対応している。また、上記可動ローラ４４は、可動突起として機能するものであり、上記内周面３８の径方向すなわち上記コイン駆動部材３２の径方向において、上記コイン３４の外周側位置の移動軌跡すなわち上記内周面３８の延長線よりも内周側に位置し、且つ上記固定ローラ４２に対して接近離隔方向の移動可能に前記案内部材１４に設けられるとともに、その固定ローラ４２に接近する向きに付勢されている。すなわち、前記案内部材１４の底面３６における上記送出溝４０の近傍には、上記可動ローラ４４の移動を許容する周方向の長穴４６が設けられており、その長穴４６を通して立設されたその可動ローラ４４は、図示しないスプリングによって図２の左下方向へ付勢されている。
【００１７】
前記コイン駆動部材３２は、前記ホッパ１６内のコイン３４を１個ずつ案内する為に駆動する円板状を成した部材であって、図１に示すように、前記基台フレーム１２に固定された電動モータ４８および減速機５０により、図２の矢印方向へ連続的に回転駆動されるようになっている。前記コイン駆動部材３２は、上記減速機５０の出力軸５２に連結されており、上記内周面３８の曲率中心に位置し且つ底面３６に垂直な軸心まわりに回転駆動される。かかるコイン駆動部材３２は、前記案内部材１４の上面に形成された穴に嵌め入れられた状態で前記基台フレーム１２に固定されているので、上記長穴４６およびそれを通して立設された可動ローラ４４は、そのコイン駆動部材３２の下側に位置してそれにより覆われているとともに、そのコイン駆動部材３２は、傾斜した状態で前記ホッパ１６の底穴５４を塞ぐように配置されている。また、前記案内部材１４の下方には、前記送出溝４０から送出されるコイン３４の枚数を計測する為のカウンタ装置７０が設けられている。そのカウンタ装置７０は、たとえば上記可動ローラ４４が上記固定ローラ４２から所定距離以上離隔させられた回数を計測するものである。前記送出溝４０からコイン３４が送出される際には、必然的に上記可動ローラ４４が上記固定ローラ４２から所定距離以上離隔させられる為、誤計測がなければその離隔させられた回数と送出されたコイン３４の枚数は一致するのである。
【００１８】
前記コイン駆動部材３２は、その上面の内周部から回転軸心方向すなわち上方へ突き出すコーン状の隆起部５６と、前記コイン３４を厚み方向に通り抜けさせる為の複数（図では８個）のコイン穴５８とを備えており、その複数のコイン穴５８それぞれの回転方向下流側には、前記コイン３４に当接してそのコイン３４を周方向且つ外周方向に付勢するように、外周に向かうほど反回転方向に向かうように傾斜させられた当接面６２を有する複数（図では８個）の駆動突起６０を個別に備えている。上記当接面６２は、前記コイン駆動部材３２の径方向に対して傾斜して内周側に位置する第１当接面７２と、その第１当接面７２よりも大きく傾斜して外周側に位置する第２当接面７４との連なりから構成されている。
【００１９】
上記コイン穴５８は、前記コイン３４の径よりも所定値だけ大径であって、前記コイン駆動部材３２の厚み方向に貫通して形成されており、その上面の開口縁すなわち前記ホッパ側の全外周縁部には、前記コイン駆動部材３２の回転駆動トルクを低減し且つ前記ホッパ１６内のコイン３４が上記コイン穴５８内へ一層円滑に嵌り込むようにする為の上面面取部６４が形成されている。その上面面取部６４は、上記コイン穴５８の中心を通るコイン駆動部材３２の径方向の線と上記コイン穴５８の中心を通るコイン駆動部材３２の周方向の線とにより分割された４領域のうち、回転方向下流側且つコイン駆動部材３２の外周側に位置する領域において他の領域よりも幅広く形成されている。
【００２０】
ここで、前記案内部材１４とコイン駆動部材３２との間には、前記可動ローラ４４よりも回転方向上流側においてその可動ローラ４４に接近するにつれて外周側へ迫り出し、その可動ローラ４４よりも回転方向上流側の所定範囲内において前記コイン穴５８を部分的に塞ぐように、且つ前記コイン駆動部材３２との間隔が前記コイン３４の厚み寸法よりも短くなるように前記案内平面３８における前記案内内周面３８の曲率中心の周囲を覆う、一部が外周側へ迫り出した円板状を成す案内板部材６６が前記案内部材１４と一体的に設けられている。その案内板部材６６は、上記所定範囲内において前記コイン穴５８を通り抜けるコイン３４をその可動ローラ４４に接触させずに通過させる為に機能する接触防止部材であり、前記可動ローラ４４よりも回転方向上流側の半周程度における外周縁部が、前記案内部材１４からコイン駆動部材３２に向けて径が漸減するように面取られた面取部６８が形成されている。
【００２１】
図４は、前記コイン３４が駆動突起６０により送られて前記送出溝４０から外部に送出される様子を説明する図である。上述した可動ローラ４４よりも回転方向上流側の所定範囲とは、たとえばこの図に示すように、前記固定ローラ４２に最近接した可動ローラ４４の軸心を通るコイン駆動部材３２の径方向の線Ｌ１と前記コイン穴５８の中心を通るコイン駆動部材３２の径方向の線Ｌ２とにより分割された前記固定ローラ４２を含む領域において、上記線Ｌ１を基準に回転方向上流側を正として上記線Ｌ２が成す角φが０°以上５０°未満である範囲を示す。
【００２２】
前記所定範囲外すなわち前記コイン穴５８が前記所定範囲に差しかかる前にそのコイン穴５８を通り抜けきったコイン３４ａが前記内周面３８に沿って案内される案内過程では、専ら前記第１当接面７２により押されることにより前記コイン駆動部材３２の回転方向に送られ、前記コイン駆動部材３２が４５°回転することによりコイン位置ａ１からコイン位置ａ２に移動させられる。ここで、前記案内板部材６６は、前記可動ローラ４４よりも回転方向上流側においてその可動ローラ４４に接近するにつれて外周側へ迫り出すように設けられている為、上記コイン３４ａが内周側に寄った場合であっても、その案内板部材６６の外周縁に沿って前記内周面３８の外周側へ送出されるように案内される。上記コイン３４ａが前記内周面３８の外周側へ送出される送出過程では、前記固定ローラ４２および可動ローラ４４に当接させられたコイン３４ａは、専ら前記第２当接面７４に押されることにより、外周側へ向かう方向成分が案内過程よりも大きな推力で前記内周面３８よりも外周側へ押し出され、コイン位置ａ３に送出されるのである。なお、コイン３４が前記第２当接面７４により押されるのは、そのコイン３４の中心が前記固定ローラ４２および可動ローラ４４を結ぶ線を越えるまでであり、その後は可動ローラ４４の付勢力に基づいて所定の初速度が付与されて送出溝４０内を外周側へ移動させられる。
【００２３】
図５は、前記可動ローラ４４よりも回転方向上流側の所定範囲内において前記コイン穴５８を通り抜けるコイン３４ｂが通過させられる様子を説明する図である。この図に示すように、前記所定範囲外においてはタイミングが合わなかった、あるいは若干変形しているなどの理由により、コイン位置ｂ１において前記コイン穴５８を通り抜けきっていないコイン３４ｂは、前記コイン駆動部材３２が４５°回転することによりコイン位置ｂ２に移動させられる。すなわち、前記コイン穴５８を通り抜けきらずにそのコイン穴５８内に留められる。図３に示すように、前記所定範囲外において前記コイン穴５８を通り抜けきった上記コイン３４ａは、その一面において前記底面３６に摺接した状態で前記駆動突起６０により押されて移動させられるが、前記所定範囲内において前記コイン穴５８を通り抜けつつあるコイン３４ｂは、前記コイン駆動部材３２の回転に伴って徐々にそのコイン穴５８を塞ぐように迫り出してくる前記案内板部材６６に乗り上げて、前記コイン穴５８内に戻される。ここで、かかる案内板部材６６における外周縁の一部に前記面取部６８が形成されているのは、前記コイン駆動部材３２と案内板部材６６との間でコイン３４ｂが噛み込まれるのを防止するとともに、前記所定範囲内においてコイン３４ｂが前記案内板部材６６に乗り上げ易くする為である。
【００２４】
上記コイン位置ｂ２において前記可動ローラ４４に接触することなく通過させられたコイン３４ｂは、前記コイン駆動部材３２がさらに４５°回転することによりコイン位置ｂ３に移動させられる。すなわち、前記固定ローラ４２に最近接した可動ローラ４４の軸心を通るコイン駆動部材３２の径方向の線Ｌ１を通過した後に前記コイン穴５８を通り抜けきり、前記底面３６と面接触した状態とされる。かかるコイン３４ｂは、専ら前記第１当接面７２により押されることにより前記コイン駆動部材３２の回転方向に送られ、その周回においては、図４に示すコイン３４ａのように前記送出溝４０から外部に送出される。
【００２５】
このように、本実施例によれば、前記可動ローラ４４よりも回転方向上流側の所定範囲内において前記コイン穴５８を通り抜けるコイン３４をその可動ローラ４４に接触させずに通過させる為の接触防止部材である案内板部材６６が前記案内部材１４と一体的に設けられていることから、前記所定範囲内において前記コイン穴５８を通り抜けるコイン３４ｂすなわちその周回において前記内周面３８の外周側へ送出されないコイン３４ｂを前記可動ローラ４４に接触させずに次の周回に送ることができる。その為、前記可動ローラ４４に接触するコイン３４の枚数を計測するカウンタ装置７０によって、前記内周面３８の外周側へ送出されないコイン３４ｂの枚数が誤って加算されることがない。すなわち、可動ローラ４４にカウンタ装置７０を備え且つ誤計測を防止するコイン送出装置１０を提供することができる。
【００２６】
また、前記可動ローラ４４よりも上流側においてその可動ローラ４４に接近するにつれて外周側へ迫り出し前記所定範囲内において前記コイン穴５８を部分的に塞ぐように、且つ前記コイン駆動部材３２との間隔が前記コイン３４の厚み寸法よりも短くなるように案内平面である前記底面３６の一部を覆う案内板部材６６が設けられている為、前記所定範囲内において前記コイン穴５８を通り抜けるコイン３４ｂが、前記コイン穴５８を部分的に塞ぐ位置まで迫り出した前記案内板部材６６に乗り上げることにより通り抜けきらずにそのコイン穴５８内に留められ、そのコイン３４ｂを前記可動ローラ４４に接触させずに通過させることができることに加え、前記案内板部材６６が前記可動ローラ４４よりも回転方向上流側においてその可動ローラ４４に接近するにつれて外周側へ迫り出すように設けられていることにより、前記所定範囲外において前記コイン穴５８を通り抜けきったコイン３４ａが前記内周面３８の外周側へ送出されるように案内できるという利点がある。
【００２７】
また、前記コイン駆動部材３２は、前記内周面３８の曲率中心に位置し且つ前記底面３８に垂直な軸心まわりに回転駆動されるものであり、前記コイン３４に当接してそのコイン３４を周方向且つ外周方向に付勢するように、外周に向かうほど反回転方向に向かうように傾斜させられた当接面６２を有する複数の駆動突起６０を、前記複数のコイン穴５８それぞれの下流側に個別に備えたものである為、前記駆動突起６０の当接面６２に当接させられて駆動されるコイン３４が前記コイン駆動部材３２の回転軸心を中心とする周方向且つ外周方向へ付勢されつつ案内される。また、前記複数の駆動突起６０は、前記複数のコイン穴５８それぞれの下流側に個別に設けられていることから、前記案内部材１４とコイン駆動部材３２との間における前記内周面３８の曲率中心の周囲に空間を形成することができ、その空間に前記案内板部材６６を設けることができるという利点がある。
【００２８】
続いて、本発明の他の実施例について説明する。なお、以下の説明において前述の実施例と共通する部分に関しては、同一の符号を付してその説明を省略する。
【００２９】
図６は、本発明の他の実施例であるコイン送出装置８０のホッパ１６を取り外して案内部材１４に対して垂直な方向から見た、コイン駆動部材８２の一部を切り欠いて示す平面図である。この図に示すように、かかるコイン送出装置８０は、前述の隆起部５６と、前記コイン３４を厚み方向に通り抜けさせる為の複数（図では８個）のコイン穴５８とを備えており、その複数のコイン穴５８それぞれの回転方向下流側には、前記コイン３４に当接してそのコイン３４を周方向且つ外周方向に付勢するように、外周に向かうほど反回転方向に向かうように傾斜させられた当接面８６と、上記コイン駆動部材８２の径方向における所定の径範囲を切り欠いて形成された切欠８８とを有する複数（図では８個）の駆動突起８４を、前記複数のコイン穴５８それぞれの下流側に個別に備えている。上記当接面８６は、前記コイン駆動部材８２の径方向に対して傾斜して内周側に位置する第１当接面９０と、その第１当接面７２よりも大きく傾斜して外周側に位置する第２当接面９２との連なりから構成されている。
【００３０】
また、前記案内部材１４の前記可動ローラ４４よりも内周側におけるその可動ローラ４４との間隔が前記コイン３４の径寸法よりも短くなる位置、好適には前記可動ローラ４４に可及的に近接した位置に、前記所定範囲内において前記コイン穴５８を通り抜けるコイン３４をその可動ローラ４４に接触させずに通過させる為の障壁部材９４が設けられている。その障壁部材９４は、たとえば柱状を成して前記底面３６に垂直に立設されたものであり、前記コイン３４が前記固定ローラ４２および可動ローラ４４により付勢されて外部に送出されるのを妨げない位置に設けられている。ここで、上記コイン駆動部材８２の駆動突起８４における切欠８８は、上記コイン駆動部材８２の回転駆動に際してその切欠８８を上記障壁部材９４が通過するようにその障壁部材９４に対応する部分に形成されたものである。なお、かかるコイン送出装置８０の案内部材１４には、前記案内板部材６６は固設されておらず、その案内板部材６６が設けられていた部分に対応する前記案内部材１４とコイン駆動部材８２との間における上記コイン駆動部材８２の回転軸心を中心とする所定範囲には、前記コイン３４が前記底面３６に摺接した状態でその底面３６上を移動できるような空間が形成されている。
【００３１】
図７は、前記コイン３４が駆動突起８４により送られて前記送出溝４０から外部に送出される様子を説明する図である。前記所定範囲外すなわち前記コイン穴５８が前記所定範囲に差しかかる前にそのコイン穴５８を通り抜けきったコイン３４ｃが前記内周面３８に沿って案内される案内過程では、専ら前記第１当接面９０により押されることにより前記コイン駆動部材８２の回転方向に送られ、前記コイン駆動部材８２が４５°回転することによりコイン位置ｃ１からコイン位置ｃ２に移動させられる。続いて、上記コイン３４ｃが前記内周面３８の外周側へ送出される送出過程では、前記固定ローラ４２および可動ローラ４４に当接させられたコイン３４ｃは、専ら前記第２当接面９２に押されることにより、外周側へ向かう方向成分が案内過程よりも大きな推力で前記内周面３８よりも外周側へ押し出され、コイン位置ｃ３に送出される。なお、コイン３４が前記第２当接面９２により押されるのは、そのコイン３４の中心が前記固定ローラ４２および可動ローラ４４を結ぶ線を越えるまでであり、その後は可動ローラ４４の付勢力に基づいて所定の初速度が付与されて送出溝４０内を外周側へ移動させられる。
【００３２】
図８は、前記可動ローラ４４よりも回転方向上流側の所定範囲内において前記コイン穴５８を通り抜けるコイン３４ｄが通過させられる様子を説明する図である。この図に示すように、前記所定範囲外においてはタイミングが合わなかった、あるいは若干変形しているなどの理由により、コイン位置ｄ１において前記コイン穴５８を通り抜けつつあるコイン３４ｄ、あるいは前記所定範囲内であるコイン位置ｄ１付近において前記コイン穴５８を通り抜けきったコイン３４ｄは、前記コイン駆動部材８２が４５°回転することによりコイン位置ｄ２に移動させられる。ここで、前記可動ローラ４４よりも内周側におけるその可動ローラ４４の近傍には、前述の障壁部材９４が設けられていることから、その周回において前記送出溝４０から送出されないコイン３４ｄは、その障壁部材９４に妨げられて前記可動ローラ４４に接触することなく通過させられる。かかるコイン３４ｄは、前記コイン駆動部材３２がさらに４５°回転することにより、コイン位置ｄ２からコイン位置ｄ３に移動させられた後、専ら前記第１当接面９０により押されることにより前記コイン駆動部材８２の回転方向に送られ、その周回においては、図７に示すコイン３４ｃのように前記送出溝４０から外部に送出される。
【００３３】
このように、本実施例によれば、前記可動ローラ４４よりも内周側におけるその可動ローラ４４との間隔が前記コイン３４の径寸法よりも短くなる位置に、接触防止部材である障壁部材９４が、前記底面３６に垂直に設けられている為、かかる障壁部材９４により、前記所定範囲内において前記コイン穴５８を通り抜けつつあるコイン３４ｄ、あるいは通り抜けきったコイン３４ｄを前記可動ローラ４４に接触させずに通過させることができるという利点がある。
【００３４】
また、前記コイン駆動部材８２は、前記内周面３８の曲率中心に位置し且つ前記底面３６に垂直な軸心まわりに回転駆動されるものであり、前記コイン３４に当接してそのコイン３４を周方向且つ外周方向に付勢するように、外周に向かうほど反回転方向に向かうように傾斜させられた当接面８６と、前記障壁部材９４に対応する部分に形成された切欠８８とを有する複数の駆動突起８４を、前記複数のコイン穴５８それぞれの下流側に個別に備えたものである為、前記駆動突起８４の当接面８６に当接させられて駆動されるコイン３４が前記コイン駆動部材８２の回転軸心を中心とする周方向且つ外周方向へ付勢されつつ案内される。また、前記駆動突起８４には、前記障壁部材９４に対応する部分に切欠８８が形成されていることから、前記コイン駆動部材８２の回転駆動に際して前記駆動突起８４と障壁部材９４とが接触することがない。さらに、前記複数の駆動突起８４は、前記複数のコイン穴５８それぞれの下流側に個別に設けられていることから、前記案内部材１４とコイン駆動部材８２との間に、前記コイン駆動部材８２の回転軸心を中心とする所定の空間を形成することができ、前記所定範囲内において前記コイン穴５８を通り抜けきったコイン３４を内周側へ逃がすことができるという利点がある。
【００３５】
以上、本発明の好適な実施例を図面に基づいて詳細に説明したが、本発明はこれに限定されるものではなく、さらに別の態様においても実施される。
【００３６】
たとえば、図９に示すように、前記コイン送出装置８０の案内部材１４における前記固定ローラ４２の軸心を通るコイン駆動部材８２の径方向の線と、前記固定ローラ４２に最近接した可動ローラ４４の軸心を通るコイン駆動部材８２の径方向の線との間において、前記駆動突起８４の回転を妨げず且つ近接した内周側位置に、柱状を成す案内ピン９６が設けられていても構わない。その案内ピン９６としては、たとえば特公平４−６８６７３号公報の明細書などに記載されているような出没式のもの、あるいは固定式のものが考えられる。かかる案内ピン９６が設けられていることにより、前記所定範囲外において前記コイン穴５８を通り抜けきったコイン３４が内周側に寄った場合であっても、前記内周面３８の外周側へ送出されるように案内できるという利点がある。
【００３７】
また、前述の実施例の案内板部材６６は、前記底面３６における前記内周面３８の曲率中心を含む部分を覆う、一部が変形した円板状を成すものであったが、たとえば図１０に示すように、前記可動ローラ４４よりも回転方向上流側においてその可動ローラ４４に接近するにつれて外周側へ迫り出し前記所定範囲内において前記コイン穴５８を部分的に塞ぐ為の可及的に簡単な構成を備えた案内板部材９８が設けられたものであっても構わない。
【００３８】
また、前述の実施例において、前記所定範囲とは、図４などに示すように、前記固定ローラ４２に最近接した可動ローラ４４の軸心を通るコイン駆動部材３２の径方向の線Ｌ１と前記コイン穴５８の中心を通るコイン駆動部材３２の径方向の線Ｌ２とにより分割された前記固定ローラ４２を含む領域において、上記線Ｌ１を基準に回転方向上流側を正として上記線Ｌ２が成す角φが０°以上５０°未満である範囲であったが、これはあくまで例示に過ぎず、かかる所定範囲は、送出されるコインの寸法などに応じて適宜定められるものである。
【００３９】
また、前述の実施例においては、前記固定ローラ４２が案内内周面終端部として前記案内部材１４に固設されていたが、固定ピン、固定カムなどの他の部材が設けられたものであっても構わない。
【００４０】
また、前述の実施例においては、前記駆動突起６０、８４の当接面６２、８６は、傾斜角度の異なる第１当接面７２、９０および第２当接面７４、９２から構成されていたが、回転方向下流側かつ外周側へ凸となる緩やかに連続した傾斜を有する凸曲面から構成されたものであっても構わない。
【００４１】
また、前述の実施例の可動ローラ４４は、必ずしもローラである必要はなく、可動ピンあるいは可動ブロックなどであっても構わない。
【００４２】
また、前述の実施例では、前記ホッパ１６に貯蔵されたコイン３４がコイン駆動部材３２、８２を通して案内されたときに前記固定ローラ４２、可動ローラ４４、および駆動突起６０、８４によって外周側へ連続的に送出されるように構成されていたが、前記ホッパ１６以外の装置から導出されたコイン３４を前記固定ローラ４２、可動ローラ４４、および駆動突起６０、８４によって外周側へ連続的に送出するものであっても構わない。
【００４３】
その他一々例示はしないが、本発明はその趣旨を逸脱しない範囲内において、種々の変更が加えられて実施されるものである。
【図面の簡単な説明】
【図１】本発明の一実施例であるコイン送出装置の構成を説明する為に一部を切り欠いて示す側面図である。
【図２】図１のコイン送出装置のホッパを取り外して案内部材に対して垂直な方向から見た、コイン駆動部材の一部を切り欠いて示す平面図である。
【図３】図２のＩＩＩ−ＩＩＩ視断面図である。
【図４】図１のコイン送出装置において、コインが駆動突起により送られて送出溝から外部に送出される様子を説明する図である。
【図５】図１のコイン送出装置において、可動ローラよりも回転方向上流側の所定範囲内においてコイン穴を通り抜けるコインが通過させられる様子を説明する図である。
【図６】本発明の他の実施例であるコイン送出装置のホッパを取り外して案内部材に対して垂直な方向から見た、コイン駆動部材の一部を切り欠いて示す平面図である。
【図７】図６のコイン送出装置において、コインが駆動突起により送られて送出溝から外部に送出される様子を説明する図である。
【図８】図６のコイン送出装置において、可動ローラよりも回転方向上流側の所定範囲内においてコイン穴を通り抜けるコインが通過させられる様子を説明する図である。
【図９】図６のコイン送出装置に、前記所定範囲外においてコイン穴を通り抜けきったコインが内周面の外周側へ送出されるように案内する為の案内ピンを付加した構成を示す平面図である。
【図１０】図１のコイン送出装置における案内板部材を可及的に簡単な構成を備えたものに置換した構成を示す平面図である。
【符号の説明】
１０、８０：コイン送出装置
１４：案内部材
３２、８２：コイン駆動部材
３４：コイン
３６：底面（案内平面）
３８：内周面（案内内周面）
４２：固定ローラ（案内内周面終端部）
４４：可動ローラ（可動突起）
５８：コイン穴
６０、８４：駆動突起
６２、８６：当接面
６６、９８：案内板部材（接触防止部材）
７０：カウンタ装置
８８：切欠
９４：障壁部材（接触防止部材）
【図１】
2004070680.tif 000003
【図２】
2004070680.tif 000004
【図３】
2004070680.tif 000005
【図４】
2004070680.tif 000006
【図５】
2004070680.tif 000007
【図６】
2004070680.tif 000008
【図７】
2004070680.tif 000009
【図８】
2004070680.tif 000010
【図９】
2004070680.tif 000011
【図１０】
2004070680.tif 000012